(57)【要約】【課題】容器で植物を栽培する場合の効果の高い、植え替え時の肥料の使用方法を発明する。またその発明を効率的に実施するための用具を開発する。【解決手段】水等を溜め、鉢等の容器の底から灌水する方法で植物を栽培するときは、肥料を使用する位置を水等が溜まる低位置とする。植え替え時に元型の底の中心に突起をつけた凸元型を使用する。これにより、水等の溜まる高さ以下の低位置に肥料を置くことで、灌水時に肥料が水の溜まる高さ以下の位置となるため多量の水分により肥料成分がより多く鉢等の容器内の用土全体に溶け出す。【選択図】図９
2008199940.tif 000002
【特許請求の範囲】
【請求項１】
鉢等の容器で植物を栽培するときに、低位置に肥料を置くことを特徴とした肥料使用方法。
【請求項２】
水槽や受け皿等の容器に水等を溜め、鉢等の容器の底から灌水する方法で植物を栽培するときに、水等の溜まる高さ以下の低位置に肥料を置くことを特徴とした肥料使用方法。
【請求項３】
鉢等の容器を利用しエブアンドフロー灌水で植物を栽培するときに、水等の溜まる高さ以下の低位置に肥料を置くことを特徴とした肥料使用方法。
【請求項４】
鉢等の容器で植物を栽培するときに、元型本体の底の中心に円柱状の突起を付けた凸元型を使用してできた型に肥料を置き、植え替えを行なうことを特徴とした肥料使用方法と凸元型。
【請求項５】
水槽や受け皿等の容器に水等を溜め、鉢等の容器の底から灌水する方法で植物を栽培するときに、元型本体の底の中心に円柱状の突起を付けた凸元型を使用してできた型に肥料を置き、植え替えを行なうことにより水等の溜まる高さ以下の低位置に肥料を置くことを特徴とした肥料使用方法と凸元型。
【請求項６】
鉢等の容器を利用しエブアンドフロー灌水で植物を栽培するときに、元型本体の底の中心に円柱状の突起を付けた凸元型を使用してできた型に肥料を置き、植え替えを行なうことにより水等の溜まる高さ以下の低位置に肥料を置くことを特徴とした肥料使用方法と凸元型。
【請求項７】
鉢等の容器で植物を栽培するときに、棒状のもの等で用土に穴を開け、肥料を入れる使用方法。
【請求項８】
水槽や受け皿等の容器に水等を溜め、鉢等の容器の底から灌水する方法で植物を栽培するときに、棒状のもの等で用土に開けた穴によって、水等の溜まる高さ以下の低位置に肥料を入れる使用方法。
【請求項９】
鉢等の容器を利用し、エブアンドフロー灌水で植物を栽培するときに、棒状のもの等で用土に開けた穴によって水等の溜まる高さ以下の低位置に肥料を入れる使用方法。
【発明の詳細な説明】
【技術分野】
【０００１】
この発明は、植物を鉢等の容器で栽培するのに用いる肥料の使用方法に関する。
【背景技術】
【０００２】
従来の鉢等の容器で植物を栽培する場合の肥料の使用方法は、植え替え時に用土の中央部に施す方法がある。（例えば非特許文献１参照。）また、栽培途中に用土の表面に施す方法もある（例えば非特許文献２参照。）。
【０００３】
以下、図１、図２、図３により従来の肥料使用方法について説明する。
【０００４】
図１、図２に示すように、植え替え時に鉢等の容器1に植物体２の植えられている苗等３を植えたい高さとなるまで用土４を入れ、とって５のついた元型６を置き、さらに用土４を入れ、型７をとり、肥料８を施用後、植物体２の植えられている苗等３を入れる。
【０００５】
図３に示すように鉢等の容器１に植えられた植物体２を避け、用土４の表面に肥料８を置く方法である。
【非特許文献１】「別冊ＮＨＫ趣味の園芸これだけは知っておきたい栽培の基礎知識」、日本放送出版協会、２００３年、ｐ１４７
【非特許文献２】「別冊ＮＨＫ趣味の園芸これだけは知っておきたい栽培の基礎知識」、日本放送出版協会、２００３年、ｐ８０
【発明の開示】
【発明が解決しようとする課題】
【０００６】
しかしながら、以上の技術より、さらに効果の高い植え替え時の肥料の使用方法を発明したので、この方法を提供することを目的とする。
【０００７】
図４で示す様に鉢等の容器１に植えられた植物体２を避けて置かれた肥料８から溶出した肥料成分９は用土４の狭い範囲にしか溶け出さず、表１で示すように、肥料８の効果が弱かった。
【０００８】
そこで、この発明は、肥料８がより多く鉢等の容器１内の用土４全体に溶け出す使用方法を提供することを課題とする。
【課題を解決するための手段】
【０００９】
以上の課題を解決するために、第一発明は、鉢等の容器１で植物を栽培するときに、低位置に肥料８を置くことを特徴とした肥料使用方法である。
【００１０】
また第二発明は、水槽や受け皿等の容器２０に水等１９を溜め、鉢等の容器１の底から灌水する方法で植物を栽培するときに、低位置に肥料を置くことを特徴とした肥料使用方法である。このとき潅水する水等１９の高さは一定である。
【００１１】
また第三発明は、鉢等の容器１を利用しエブアンドフロー灌水で植物を栽培するときに、低位置に肥料を置くことを特徴とした肥料使用方法である。このとき潅水する水等１９の高さは一定である。
【００１２】
また第四発明は、鉢等の容器１で植物を栽培するときに、元型本体１１の底の中心１２に円柱状の突起１３を付けた凸元型を使用してできた型７に肥料８を置き、植え替えを行なうことを特徴とした肥料使用方法と凸元型である。
【００１３】
また、第五発明は水槽や受け皿等の容器２０に水を溜め、鉢等の容器１の底から灌水する方法で植物を栽培するときに、元型本体１１の底の中心１２に円柱状の突起１３を付けた凸元型を使用してできた型７に肥料８を置き、植え替えを行なうことにより低位置に肥料８を置くことを特徴とした肥料使用方法と凸元型である。このとき潅水する水等１９の高さは一定とする。
【００１４】
また、第六発明は鉢等の容器１を利用しエブアンドフロー灌水で植物を栽培するときに、元型本体１１の底の中心１２に円柱状の突起を付けた凸元型を使用してできた型７に肥料を置き、植え替えを行なうことにより低位置に肥料８を置くことを特徴とした肥料使用方法と凸元型である。このとき潅水する水等１９の高さは一定とする。
【００１５】
また、第七発明は鉢等の容器１で植物を栽培するときに、棒状のもの等１７で用土４に穴１８を開け、肥料８を入れる使用方法である。
【００１６】
また、第八発明は水槽や受け皿等の容器２０に水等１９を溜め、鉢等の容器１の底から灌水する方法で植物を栽培するときに、棒状のもの等１７で用土４に穴１８を開け、肥料８を入れる使用方法である。このとき潅水する水等１９の高さは一定とする。
【００１７】
また、第九発明では鉢等の容器１を利用し、エブアンドフロー灌水で植物を栽培するときに、棒状のもの等１７で用土４に穴１８を開け、肥料８を入れる使用方法である。
【発明の効果】
【００１８】
第一発明、第二発明、第三発明、第四発明、第五発明、第六発明、第七発明、第八発明、第九発明によれば、鉢等の容器１で植物を栽培するときに、低位置に施肥することで多量の水分により肥料成分９がより多く全体に溶け出し、そして表２で示すように、鉢等の容器１内の用土４に広がる。
【００１９】
第四発明、第五発明、第六発明によれば凸元型により、植え替えのときに効率的な低位置施肥を行うことができ、肥料成分が鉢等の容器１内の用土４全体に溶け出す。
【００２０】
第七発明、第八発明、第九発明によれば追肥として低位置に肥料を施すことができ、肥料成分９が鉢等の容器１内の用土４全体に溶け出す。
【発明を実施するための最良の形態】
【００２１】
肥料がより多く鉢等の容器内の用土全体に溶け出す使用方法を提供することを実現した。
【実施例１】
【００２２】
この発明の一実施形態を、図１０、図１１に示す。
図１０に示すように鉢等の容器１に用土４を水の溜まる高さ以下の低位置１０以内まで入れ、肥料８を入れる。そして苗等３を鉢上げする高さ２１まで、用土４を入れる。元型６を置き、元型６の周りに用土２を入れ、型７を崩さないように元型６を引き抜き、図１１で示すように、植物体２が植わった苗等３を、型７に入れ植え替えとする。
【実施例２】
【００２３】
この発明の一実施形態を、図５に示す。
図５に示すように鉢等の容器１に用土４を水等の溜まる高さ以下の低位置１０にまで入れ、肥料８を入れる。そして苗等３を鉢上げする高さ２１まで、用土４を入れる。元型６を置き、元型６の周りに用土４を入れ、型７を崩さないように元型６を引き抜き、図９で示すように、植物体２が植わった苗等３を、型７に入れ植え替えとする。
【実施例３】
【００２４】
発明４、発明５、発明６の実施形態をこの図６、図７、図８、図９に示す。（凸元型について
【００２５】
図６に示すように、鉢上げ用元型本体１１の底中心１２に鉢上げする苗等３のサイズから水等の溜まる高さ以下の低位置１０に届くまでの長さを持つ円柱の突起１３を取り付ける。元型本体１１の上部に元型を掴むためのリング状のとって１４を着ける。リング状のとって１４は本体１１と棒状の支持１５でつながっている。材質はすべてプラスチックとする。各鉢上げを行う苗等３のサイズごとのものを用意する。
【００２６】
使用方法は、図７に示すように、鉢等の容器１に水等の溜まる高さ以下の低位置１０まで用土２を入れ、凸元型を鉢等の容器１を上から見た時の中心に置き、突起１３の取り付けてある底が最初に入れた用土４に触れるまで差し込む。凸元型の周りに用土４を更に入れて凸元型を抑えながら軽く用土を鎮圧する。そして図８に示すように、凸元型のリング状のとって１４を両手の親指、人差し指、中指で挟み、小指を鉢等の容器の上部に掛け、型７を崩さないように引き抜く。できた型７の中心に施肥溝１６が開いているのでそこに図９で示すように、植物に適した量の肥料８を入れ、鉢上げを行う苗等３をその型７に入れ、植え替えとする。
【００２７】
この実施形態によれば鉢等の容器１を利用しエブアンドフロー灌水で植物を栽培するときの植え替え後の元肥として凸元型を使用しできた施肥溝１６によって水等の溜まる高さ以下の低位置１０に肥料８を置くことができ、肥料効果が高い。また、効率よく施肥することができる。
【実施例４】
【００２８】
この図１２の実施形態によれば、追肥として使用するときは、用土４の表面から水等の溜まる高さ以下の低位置１０まで棒状のもの等１７で穴を開け、その穴１８に植物に適した肥料８を入れる。そのとき開ける穴１８の大きさは肥料８の大きさや量に適したものとする。
【００２９】
この実施形態によれば、水等の溜まる高さ以下の低位置１０に肥料８を置くことで、灌水時に肥料８が水等の溜まる高さ以下となるため多量の水分により肥料成分９がより多く鉢等の容器１内の用土４全体に溶け出す。肥料８を置く位置が用土４内であるので鉢等の容器１を移動したときに肥料８がこぼれ落ちることがない。肥料８を置く位置が用土４内であるために、美観をそこねることがない。肥料８の種類によっては臭気を持つものがあるが肥料８を置く位置が用土４内であるために臭いがもれない。肥料８を置く位置が用土４内であるために、植物体２へ肥料８が接触し障害が起こることがない。
「他の実施形態」
【００３０】
図１０、図１１で示したように、実施例１では、鉢等の容器１に用土４を水等の溜まる高さ以下の低位置１０のまで入れ、肥料８を入れる。そして苗等３を鉢上げする高さ２１まで、用土４を入れる。元型６を置き、元型６の周りに用土４を入れ、型７を崩さないように元型６を引き抜き、図１１で示すように、植物体２が植わった苗等３を、型７に入れ植え替えとしたが元型６の使用や植え替えの手順、その後の灌水は任意としても良い。
【００３１】
図５で示したように、実施例２では、鉢等の容器１に用土４を水等の溜まる高さ以下の低位置１０まで入れ、肥料８を入れる。そして苗等３を鉢上げする高さ２１まで、用土４を入れる。元型６を置き、元型６の周りに用土４を入れ、型７を崩さないように元型６を引き抜き、図１０で示すように、植物体２が植わった苗等３を、型７に入れ植え替えとしたが、元型６の使用や植え替えの手順、その後の灌水は任意としても良い。
【００３２】
図６、図７、図８で示したように、実施例３の実施形態では材質はすべてプラスチックとしたが、他の実施形態では材質は任意のものでも良いとする。とっては元型本体１１の上部に元型を掴むためのリング状のとって１４を着けるとしたが、とって有無や形状は任意とする。リング状のとって１４は元型本体１１と棒状の支持１５でつながっているとしたが、リング状のとって１４と元型本体１１がつながっていれば形状や材質は任意のものでも良いとする。鉢上げ用元型本体１１の底の中心１２に鉢上げする苗等３のサイズから水等の溜まる高さ以下の低位置１０に届くまでの長さを持つ円柱の突起１３を取り付けるとしたが、元型本体１１の底の中心１２にとりつける突起１３の形状は任意の形でも良いとする。凸元型のリング状のとってを１４両手の親指、人差し指、中指で挟み、小指を鉢等の容器の上部に掛け、型７を崩さないように引き抜くとしたが、型７を崩さなければ使用するものの任意の抜き方で良いとする。できた型７の中心に施肥溝１６が開いているとしたが、型７を抜いた後、型７の中心に開くはずである施肥溝１６が崩れたり、うまく形成されていなかったりした場合はやり直しとする。更に施肥溝１６に植物に適した量の肥料８を入れるとしたが、肥料８の量、種類は使用者の任意でも良いとする。
【００３３】
図１２で示すように実施例４の実施形態によれば、用土４の表面から水等の溜まる高さ以下の低位置１０まで棒状のもの等１７で穴１８を開け、その穴１８に植物に適した肥料８を入れる。そのとき開ける穴１８の大きさは肥料８の大きさや量に適したものとするとしたが、他の実施形態ではそのとき開ける穴１８の大きさや形状、肥料８の種類、量や大きさは任意のものでも良い。
【００３４】
この図１２の実施形態によれば、用土４は植物にあわせたものを使用するとしたが、他の実施形態では使用者の任意のものでも良い。使用する肥料８は植物にあわせたものとしたが、他の実施形態では、使用する肥料８は任意のものでも良い。
【００３５】
【表１】
2008199940.tif 000003
【表２】
2008199940.tif 000004
【図面の簡単な説明】
【００３６】
【図１】従来の植え替え時の型の形態を示す断面図。
【図２】従来の植え替え後の形態を示す断面図。
【図３】従来の肥料の使用の一実施形態を示す斜視図。
【図４】従来の肥料成分の広がりの断面図。
【図５】本発明の水を等を溜め鉢等の容器の底から灌水する方法の一実施形態の断面図。
【図６】本発明の凸元型の一形態を示す斜視図
【図７】本発明の凸元型を利用した植え替えの型取りの一形態を示す断面図。
【図８】本発明の凸元型を利用した植え替えの一実施形態の断面図。
【図９】本発明の凸元型を利用した植え替えの苗等を入れる一形態の断面図。
【図１０】本発明の一実施形態の断面図。
【図１１】本発明の一実施形態の苗等を入れる断面図。
【図１２】本発明の穴を開け水等の溜まる高さ以下の低位置に肥料を使用する一実施形態の断面図。
【符号の説明】
【００３７】
１鉢等の容器  ２植物体  ３苗等  ４用土  ５とって  ６元型
７型  ８肥料  ９肥料成分  １０水等の溜まる高さ以下の低位置
１１元型本体  １２底の中心  １３突起  １４リング状のとって
１５棒状の支持  １６施肥溝  １７棒状のもの等  １８穴
１９水等  ２０水槽等の容器  ２１鉢上げする高さ
【図１】
2008199940.tif 000005
【図２】
2008199940.tif 000006
【図３】
2008199940.tif 000007
【図４】
2008199940.tif 000008
【図５】
2008199940.tif 000009
【図６】
2008199940.tif 000010
【図７】
2008199940.tif 000011
【図８】
2008199940.tif 000012
【図９】
2008199940.tif 000013
【図１０】
2008199940.tif 000014
【図１１】
2008199940.tif 000015
【図１２】
2008199940.tif 000016